(57)【要約】      （修正有）【課題】世界各国の異なる仕様の電源プラグを差し込むことができ、各種異なる仕様の電機設備に対応できる電源タップを提供する。【解決手段】ドイツ、フランスなど異なる国の仕様に合わせた複数の異なる形式の差込口１１を形成した上蓋１と、Ｎ、Ｌ極及びＥ極の端子を設けることのできる端子支持部と、電源プラグを回動自在に設けた収納空間を有するベース部２とを含み、該電源プラグを壁面などに埋設した電源ソケットなどに挿入して、外部の電源プラグの挿入に供する。【選択図】図１
0003196766.tif 000002
【実用新案登録請求の範囲】
【請求項１】
ドイツ、フランスなど異なる国の仕様に合わせた複数の異なる形式の差込口を形成した上蓋と、Ｎ、Ｌ極及びＥ極の端子を設けることのできる端子支持部と、
電源プラグを回動自在に設けた収納空間を有するベース部とを含み、
該電源プラグを壁面などに埋設けた電源ソケットなどに挿入して、外部の電源プラグの挿入に供することを特徴とする電源タップ。
【考案の詳細な説明】
【技術分野】
【０００１】
この考案は電源タップに関し、特に異なる形状、仕様の電源プラグを挿入して接続できる電源コネクタに関する。
【背景技術】
【０００２】
家電を電子計算機で制御する電子化が進み、またコンピュータの普及によって、多くの周辺機器を使用するようになった。このため、
壁に埋設する電源ソケットだけでは、電源プラグの差込口の數が往々にして足らなくなる。そこで通常は電源延長コード、テーブルタップなどを用いて電源プラグの差込口を増やすようにしている。但し、電源コードが長くなれば電圧とアンペアの減衰を招く。よって、かかる欠失を防ぎ、かつ十分な数の電源プラグの差込口を提供することが望まれている。
【考案の概要】
【考案が解決しようとする課題】
【０００３】
この考案は、電源コードが長くなることによって発生する電圧とアンペアの減衰を防ぎ、かつ十分な数の電源プラグの差込口を提供する電源タップを提供することを課題とする。
【０００４】
また、この考案は、世界各国の異なる仕様の電源プラグを差し込むことができ、各種異なる仕様の電機設備に対応できる電源タップを提供することを課題とする。
【課題を解決するための手段】
【０００５】
そこで、本考案者は、従来の技術に見られる欠点に鑑み鋭意研究を重ねた結果、ドイツ、フランスなど異なる国の仕様に合わせた複数の異なる形式の差込口を形成した上蓋と、Ｎ、Ｌ極及びＥ極の端子を設けることのできる端子支持部と、電源プラグを回動自在に設けた収納空間を有するベース部とを含む電源タップによって課題を解決できる点に着眼し、かかる知見に基づいて本考案を完成させた。
【０００６】
即ち、請求項１に記載する電源タップは、ドイツ、フランスなど異なる国の仕様に合わせた複数の異なる形式の差込口を形成した上蓋と、Ｎ、Ｌ極及びＥ極の端子を設けることのできる端子支持部と、電源プラグを回動自在に設けた収納空間を有するベース部とを含み、
該電源プラグを壁面などに埋設けた電源ソケットなどに挿入して、外部の電源プラグの挿入に供する。
【図面の簡単な説明】
【０００７】
【図１】この考案による電源タップの斜視図である。
【図２】図１に開示する電源タップを下方から見た場合の斜視図である。
【図２ａ】この考案における電源プラグを収納した状態を示した斜視図である。
【図３】この考案による電源タップであって、上蓋とベース部を取り除いた状態を示した斜視図である。
【図４】この考案による電源タップであって、上蓋とベース部を取り除いた状態を示した平面図である。
【図５】この考案による電源タップであって、上蓋とベース部を取り除いた状態を示した側面図である。
【図６】この考案による電源タップであって、上蓋とベース部を取り除いた状態を示した底面図である。
【図７】この考案における電源プラグが露出した状態を示したこの考案による電源タップの側面図である。
【図８ａ】この考案による電源タップにプラグを差し込んだ状態を示した側面図である。
【図８ｂ】この考案による電源タップにプラグを差し込んだ状態を示した斜視図である。
【図９】この考案による電源タップの側面にプラグを差し込んだ状態を示した斜視図である。
【図１０】この考案における淵源プラグを露出させる動作を示した説明図である。
【図１１】この考案による電源タップの仕様態様を示した説明図である。
【図１２】この考案による電源タップの他の仕様態様を示した説明図である。
【図１３】この考案における発光体の他の発光携帯を示した説明図である。
【図１４】他の実施の形態による電源タップを示した説明図である。
【図１５】その他の実施の形態による電源タップを示した説明図である。
【図１６】別の実施の形態による電源タップを示した説明図である。
【図１７】また、別の実施の形態による電源タップを示した説明図である。
【図１８】さらに別の実施の形態による電源タップを示した説明図である。
【考案を実施するための形態】
【０００８】
この考案は、この考案は、世界各国の異なる仕様の電源プラグを差し込むことができ、各種異なる仕様の電機設備に対応できる電源タップを提供するものであって、ドイツ、フランスなど異なる国の仕様に合わせた複数の異なる形式の差込口を形成した上蓋と、Ｎ、Ｌ極及びＥ極の端子を設けることのできる端子支持部と、電源プラグを回動自在に設けた収納空間を有するベース部とを含んでなる。係る電源タップの構造と特徴を詳述するために、具体的な実施例を挙げ、図面を参照にして以下に説明する。
【実施例】
【０００９】
図１から図７にこの考案による電源タップを開示する。図面の開示によれば、この考案による電源タップは、世界各国の仕様に合わせた複数の異なる形状の差込口１１を形成した上蓋１と、上蓋１に接続するベース部２とを含んでなる。ベース部２内には電源プラグの差込端子を差し込む差込部２１を設けるとともに、ベース部２の少なくとも一辺には固定部２２を形成する。
【００１０】
また、ベース部２は一方の側壁を切り欠いて、切り欠き部２３１とし、かつ収納空間２３を形成する。また、ベース部２の底面はカバープレート２４を接続する。
【００１１】
収納空間２３には電源プラグ３を設ける。電源プラグ３は支軸３１を介してベース部２に回動自在に設ける。さらに、収納空間２３には端子支持部３３に支持される電源プラグ導電部３２を設け、電源プラグ導電部３２と電源プラグ３２とを電気的に接続する。
【００１２】
さらに収納空間２３には配線を固定するための配線固定部材４を設ける。
【００１３】
また、収納空間２３の差込口１１に対応する位置には、半円に近い形状の第１ＮＬ端子５を複数設ける。第１ＮＬ端子５は、差し込まれた電源プラグを固定するために少なくとも１以上の第１挟持部材５１を具える。さらに第１ＮＬ端子５は端子支持座２１内に設ける。
【００１４】
また、収納区間２３内の差込口１１に対応する位置にはコの字状の第２ＮＬ端子６を複数設ける。第２ＮＬ端子６は差し込まれた電源プラグを固定するために少なくとも１以上の第２挟持部材６１を具える。さらに第１ＮＬ端子５は端子支持座２１内に設ける。
【００１５】
また、ベース２には、ベース２に係合して切り欠き部２３１を覆う配線カバー２５を設けて、配線出口２５１を形成する。配線カバー２５を電源プラグ３上に設けることによって、配線が互いに接触して短絡を起こすことを防ぐことができる。したがって、使用上の安全性が高まる。
【００１６】
また、端子支持座２１には、第１ＮＬ端子５と第２ＮＬ端子６とを設け、さらに接地端子５２（Ｅ極）を設けることもできる。
【００１７】
図２Ａに開示するように、電源プラグ３は、使用しない状態においては、収納空間２３内に収納される。
【００１８】
図１から図８Ａ及び図９に開示するように、上蓋１の上面に形成した差込口１１にプラグ７を差込むと、プラグ７の導電端子７１が第１ＮＬ端子５の第１挟持部５１に挿入され、プラグ７が安定した状態で固定されて導電を行う。また、上蓋１の側面に形成した差込口１１にプラグ７１を差込むと、プラグ７の導電端子７１が第３ＮＬ端子６の第２挟持部６１に挿入され、プラグ７が安定した状態で固定されて導電を行う。
【００１９】
図１０から図１４に開示するように、壁面に設けられた電源ソケット８の形式が合わない場合は、収納空間２３に設けた電源プラグ３を回転させ、電源ソケット８に差し込み、電気的に接続して、電源タップとして作用させることができる。この場合、固定部２２の作用で、使用中に電源プラグ３が抜け落ちることはない。したがって、ドイツ、フランスなどの異なる仕様の電源コンセントに対応することができ、使用上の利便性が得られる。
【００２０】
図１２に家事するように、収納空間２３内に設けた電源プラグ２３には、電源コード９、もしくは他のテーブルタップ（図示しない）を接続して電源供給の距離を安全に延長させることができる。
【００２１】
この考案においては、上述する実施の形態以外に、図１３、１４に開示する形式、もしくは図１５から図１８に開示する形式にしてもよい。即ち、ドイツ、もしくはフランスの仕様に合わせた差込口１１ａとし、また、これらを単一、又は複数設ける。
【００２２】
また、図１５に開示するように、接地弾性体５３を設けると、さらにドイツの電源プラグの仕様に合わせることができる。
【００２３】
以上述べたように、この考案においては、ドイツ、フランスなど異なる国の仕様に合わせて電源の供給を拡張することができ、また、接地端子に接触する弾性体を設けて、さらにドイツ、フランスの仕様に合わせることができるので、別途ドイツ、フランスなど異なる国の仕様に合わせたテーブルタップ、もしくは電源コードなどを用いる必要がなく、電源コードが長くなることによって発生する電圧とアンペアの減衰を防ぐことになる。
【符号の説明】
【００２４】
１          上蓋
１１        差込口
２          ベース部
２１        差込部
２２        固定部
２３        収納空間
２３１      切り欠き部
２４        カバープレート
２５        配線カバー
２５１      配線出口      
３          電源プラグ
３１        支軸
３２        導電源プラグ導電部
３３        端子支持部
４          配線固定部材
５          第１ＮＬ端子
５１        第１挟持部材
５２        接地端子
６          第２ＮＬ端子
６１        第２挟持部材
７          プラグ
７１          導電端子
【図１】
0003196766.tif 000003
【図２】
0003196766.tif 000004
【図２ａ】
0003196766.tif 000005
【図３】
0003196766.tif 000006
【図４】
0003196766.tif 000007
【図５】
0003196766.tif 000008
【図６】
0003196766.tif 000009
【図７】
0003196766.tif 000010
【図８ａ】
0003196766.tif 000011
【図８ｂ】
0003196766.tif 000012
【図９】
0003196766.tif 000013
【図１０】
0003196766.tif 000014
【図１１】
0003196766.tif 000015
【図１２】
0003196766.tif 000016
【図１３】
0003196766.tif 000017
【図１４】
0003196766.tif 000018
【図１５】
0003196766.tif 000019
【図１６】
0003196766.tif 000020
【図１７】
0003196766.tif 000021
【図１８】
0003196766.tif 000022